(57)【要約】  本発明は、主成分として二酸化ケイ素（ＳｉＯ2）及びドープ剤としてネオジム、アルミニウム、セリウム、バリウム及びホウ素を酸化物の形で含有するガラス組成物を有するガラス物品、例えばランプ容器（１１６、１）に関し、その際、該ガラス組成物中の二酸化ケイ素の割合は少なくとも９０質量％であり、該ガラス組成物中のネオジムの割合は、０．０６〜１．４０質量％の範囲にあり、該ガラス組成物中のアルミニウムの割合は、０．０９〜１．２０質量％の範囲にあり、該ガラス組成物中のセリウムの割合は、０．０６〜１．３０質量％の範囲にあり、該ガラス組成物中のバリウムの割合は、０．００６〜１．３０質量％の範囲にあり、該ガラス組成物中のホウ素の割合は、０．０００９〜０．２０質量％の範囲にある。
2013545707.tif 000002
【特許請求の範囲】
【請求項１】
主成分として二酸化ケイ素（ＳｉＯ2）及びドープ剤としてネオジム、アルミニウム、セリウム、バリウム及びホウ素を酸化物の形で含有するガラス物品において、
−  該ガラス組成物中の二酸化ケイ素の割合が、少なくとも９０質量％であり、
−  該ガラス組成物中のネオジムの割合が、０．０６〜１．４０質量％の範囲にあり、
−  該ガラス組成物中のアルミニウムの割合が、０．０９〜１．２０質量％の範囲にあり、
−  該ガラス組成物中のセリウムの割合が、０．０６〜１．３０質量％の範囲にあり、
−  該ガラス組成物中のバリウムの割合が、０．００６〜１．３０質量％の範囲にあり、かつ
−  該ガラス組成物中のホウ素の割合が、０．０００９〜０．２０質量％の範囲にある
ことを特徴とするガラス物品。
【請求項２】
前記ガラス組成物が、付加的に、酸化物の形のユーロピウム及びチタンの群からの少なくとも１種の更なるドープ剤を含有することを特徴とする、請求項１記載のガラス物品。
【請求項３】
前記ガラス組成物中のユーロピウムの割合が、０．００８〜０．４４質量％の範囲にあることを特徴とする、請求項２記載のガラス物品。
【請求項４】
前記ガラス組成物中のチタンの割合が、０．００６〜０．０６質量％の範囲にあることを特徴とする、請求項２記載のガラス物品。
【請求項５】
前記ガラス物品のガラス組成物が、酸化物の形のネオジム、アルミニウム、セリウム、バリウム及びホウ素のみをドープ剤として含有し、かつ残分は、前記主成分の二酸化ケイ素から形成され、かつ、
−  該ガラス組成物中のネオジムの割合が、０．２６〜１．３２質量％の範囲にあり、
−  該ガラス組成物中のアルミニウムの割合が、０．０９〜０．５０質量％の範囲にあり、
−  該ガラス組成物中のセリウムの割合が、０．２６〜１．３０質量％の範囲にあり、
−  該ガラス組成物中のバリウムの割合が、０．２４〜１．３０質量％の範囲にあり、かつ
−  該ガラス組成物中のホウ素の割合が、０．００３〜０．２０質量％の範囲にある
ことを特徴とする、請求項１記載のガラス物品。
【請求項６】
前記ガラス組成物中の二酸化ケイ素（ＳｉＯ2）の割合が９６質量％以上であることを特徴とする、請求項１から５までのいずれか１項記載のガラス物品。
【請求項７】
前記ガラス物品がランプ容器（１１６、１）として形成されていることを特徴とする、請求項１から６までのいずれか１項記載のガラス物品。
【請求項８】
前記ガラス物品が、高圧放電ランプの放電容器（１００）を取り囲む、該高圧放電ランプの外部バルブ（１１６）として形成されていることを特徴とする、請求項７記載のガラス物品。
【請求項９】
前記ガラス物品が、ハロゲン白熱ランプのランプ容器（１）として形成されていることを特徴とする、請求項７記載のガラス物品。
【発明の詳細な説明】
【技術分野】
【０００１】
本発明は、特許請求項１の上位概念に従ったガラス物品(Glasartikel)に関する。殊に本発明は、ランプ組み立てに際して使用されるガラス物品に関する。
【０００２】
Ｉ．先行技術
この種のガラス物品は、例えばＵＳ２００１／００４４３７０Ａ１に開示されている。前述の文献は、ランプ組み立てにおいて使用するための種々のガラス組成物を有するガラス物品に関する複数の例を記載している。例５及び６に従ったガラス物品はアルミノケイ酸ガラスから成り、これは熱負荷をあまり強く受けないハロゲン白熱ランプ、例えばＥＣＥ−カテゴリー  Ｈ４のハロゲン白熱ランプのランプバルブ用に使用可能である。例７及び８に従ったガラス組成物は、そのアルカリ金属酸化物の含有量に基づきハロゲン白熱ランプのランプ容器には適していない。一方で、例５〜８に従ったガラス物品は、極端に高い熱負荷を受けるランプ容器、例えば、直に放電容器に設けられた、自動車ヘッドライトにおける光源として利用されるハロゲン−金属蒸気−高圧放電ランプの外部バルブには適していない。例１〜４に従ったガラス物品は、非常に高い割合の二酸化ケイ素を有するガラス組成物を有し、かつＶｙｃｏｒの商標名で知られている。しかしながら、このガラス種のランプ容器の製造は煩雑である。
【０００３】
ＩＩ．本発明の説明
本発明の課題は、極端に高い熱負荷にも耐えることができ、かつ長波長スペクトル領域からの光に対するフィルターとして使用可能であるガラス物品を提供することである。
【０００４】
この課題は、本発明により、特許請求項１からの特徴を有するガラス物品によって解決される。本発明の特に好ましい実施態様は、従属特許請求項に記載されている。
【０００５】
本発明によるガラス物品は、主成分として二酸化ケイ素（ＳｉＯ2）及びドープ剤としてネオジム、アルミニウム、セリウム、バリウム及びホウ素を酸化物の形で含有するガラス組成物を有し、その際、本発明により
−  該ガラス組成物中の二酸化ケイ素の割合は、少なくとも９０質量％であり、
−  該ガラス組成物中のネオジムの割合は、０．０６〜１．４０質量％の範囲にあり、
−  該ガラス組成物中のアルミニウムの割合は、０．０９〜１．２０質量％の範囲にあり、
−  該ガラス組成物中のセリウムの割合は、０．０６〜１．３０質量％の範囲にあり、
−  該ガラス組成物中のバリウムの割合は、０．００６〜１．３０質量％の範囲にあり、かつ
−  該ガラス組成物中のホウ素の割合は、０．０００９〜０．２０質量％の範囲にある。
【０００６】
本発明によるガラス物品は、ランプ組み立てにおいて使用するために適している。殊に、該ガラス物品から、自動車ヘッドライトに使われているハロゲン−金属蒸気−高圧放電ランプの外部バルブを製造することができる。その非常に高い二酸化ケイ素割合に基づき、本発明によるガラス物品は、石英ガラスに似た特性を有し、かつ極端に高い熱負荷にも耐えることができる。本発明による酸化物の形のバリウム及びホウ素の割合は、ガラス物品の粘度の低下に寄与し、かつランプ容器への該ガラス物品の加工性を改善する。酸化物の形のネオジムの割合は、長波長光の吸収に寄与し、それというのも、ネオジムは、波長５２４ｎｍ、５８２ｎｍ、７４４ｎｍ及び８０４ｎｍ付近で吸収帯を有するからである。それによって、本発明によるガラス物品がランプ容器として使われる場合、ランプから放射される白色光の色温度が約２００ケルビン上昇することが可能となる。酸化物の形のセリウムの割合は、紫外線の吸収に寄与し、かつ本発明によるガラス物品から成るランプ容器の透過率を紫外スペクトル領域内で減少させる。アルミニウムの割合は、主として製造技術的な理由に拠っている。ネオジムもセリウムも、酸化ネオジム（Ｎｄ2Ｏ3）及び酸化セリウム（ＣｅＯ2）の形より良好に、混合酸化物としてアルミン酸ネオジム（ＮｄＡｌＯ3）及びアルミン酸セリウム（ＣｅＡｌＯ3）の形で添加され、なぜなら、前者は、化学的に混合酸化物より安定しておらず、かつ溶融炉内で酸素を放出し得るからである。そのうえ、酸化物の形のアルミニウムの割合は、ネオジムのみならずセリウムのガラス中での溶解度に寄与し、かつ、それによって非常に均質なガラスを可能にする。
【０００７】
本発明によるガラス物品中の全てのドープ剤は酸化物の形で存在しているが、該ドープ剤の質量割合の値を出す場合、酸化物の形の酸素割合は、該質量割合の算出に際して考慮されず、なぜなら、該ドープ剤は、種々の酸化物の形で存在し得るからである。例えば、ドープ剤は、アルミニウムを酸化アルミニウム（Ａｌ2Ｏ3）、アルミン酸ネオジム（ＮｄＡｌＯ3）若しくはアルミン酸セリウム（ＣｅＡｌＯ3）の酸化物の形で、ガラス中若しくはガラス溶融物のためのガラスバッチ混合物中に導入されていてよい。この理由から、酸化物の形で存在するアルミニウムの質量割合を出す場合、元素のアルミニウムの割合のみが、酸化物の形の酸素を考慮せずに、ガラス組成物において示される。同じ事が、酸化物の形で存在するドープ剤のネオジム及びセリウム並びにバリウム及びホウ素にも当てはまる。後者は、例えば、メタホウ酸バリウム（ＢａＢ2Ｏ4）として又は他の酸化物の形でガラス溶融物のためのガラスバッチ混合物中に導入されていてよい。
【０００８】
本発明によるガラス物品のガラス組成物中で酸化物の形で存在するドープ剤のネオジム及びセリウムの上限値は、該ガラス中のネオジム及びセリウムの制限された溶解度によって定められる。これらのドープ剤のより高い質量割合は、ガラス物品中の不均質領域をもたらし得る。質量割合が下限値を下回る場合、これらのドープ剤は、所望の効果を十分な程度では示さない。本発明によるガラス物品のガラス組成物中で酸化物の形で存在するバリウム及びホウ素の上限値及び下限値は、該ガラス物品の所望の粘度低下及び必要とされる耐熱負荷性によって定められている。これらのドープ剤のより高い質量割合が、ガラス物品の耐熱負荷性を大いに低下させる可能性がある一方で、これらのドープ剤のより低い質量割合は、ガラスの粘度を、ランプ容器へのガラス物品の十分良好な加工性を可能する程度には下げない。
【０００９】
本発明によるガラス物品のガラス組成物は、付加的に、酸化物の形のユーロピウム及びチタンの群からの少なくとも１種の更なるドープ剤を含有してよい。酸化物の形のチタンの割合によって、ガラス物品の透過率(Durchlaessigkeit)を、紫外スペクトル領域内で、殊に短波長紫外線、いわゆるＵＶ−Ｃ線に対して更に減少させることができる。ガラス組成物中でのチタンの割合は、この目的のために、好ましくは０．００６〜０．０６質量％の範囲にある。
【００１０】
酸化物の形のユーロピウムの割合によって、ガラス組成物中の酸化物の形のネオジムの割合を、同じ色温度増大において、ほぼ３分の１減少させることができ、なぜなら、ユーロピウムは、ランプ内で発生したＵＶ線によって励起される青色蛍光線を放射するからである。それによって、可能な限り耐熱負荷性を保証するために、ガラス組成物中の二酸化ケイ素の割合を、相応してより多く省くことができる。そのうえ、ドープ剤の酸化物の形のユーロピウムは、ガラス物品の透過率を２００ｎｍ〜２８０ｎｍの紫外スペクトル領域内で更に減少させ、酸素雰囲気中でのガラス物品のアニーリングをなしで済ますことができるという更なる利点を有する。ガラス組成物中のユーロピウムの割合は、上記目的のために、好ましくは０．００８〜０．４４質量％の範囲にある。
【００１１】
本発明の有利な実施例によれば、ガラス物品のガラス組成物は、酸化物の形のネオジム、アルミニウム、セリウム、バリウム及びホウ素のみをドープ剤として含有し、かつ残分は、主成分として二酸化ケイ素から形成され、その際、
−  該ガラス組成物中のネオジムの割合は、０．２６〜１．３２質量％の範囲にあり、
−  該ガラス組成物中のアルミニウムの割合は、０．０９０〜０．５０質量％の範囲にあり、
−  該ガラス組成物中のセリウムの割合は、０．２６〜１．３０質量％の範囲にあり、
−  該ガラス組成物中のバリウムの割合は、０．２４〜１．３０質量％の範囲にあり、かつ
−  該ガラス組成物中のホウ素の割合は、０．００３〜０．２０質量％の範囲にある。
【００１２】
このガラス組成物によって、ガラス物品は、自動車ヘッドライトにおける光源として利用されるハロゲン−金属蒸気−高圧放電ランプの外部バルブ用に特に良好に適している。このガラス組成物により、ドープ剤なしの石英ガラス製の外部バルブと比較して、該ハロゲン−金属蒸気−高圧放電ランプから放射される白色光の色温度を２００ケルビン分より高く上昇させることができる。
【００１３】
本発明によるガラス物品の特に有利な実施形態によれば、石英ガラスの特性に可能な限り似た特性を有するガラス物品を得るために、二酸化ケイ素（ＳｉＯ2）の割合は９６質量％より大きい。
【００１４】
本発明によるガラス物品は、好ましくはランプ容器を製造するためのガラス管として又はランプ容器として、殊に高圧放電ランプの外部バルブとして又はハロゲン白熱ランプとして形成されている。
【００１５】
ＩＩＩ．有利な実施例の説明
以下では、本発明を、有利な実施例を手がかりにして、より詳細に説明する。
【図面の簡単な説明】
【００１６】
【図１】本発明により形成された外部バルブを備えた高圧放電ランプの側面を概略的に示す図
【図２】１ｍｍの内厚における本発明の第一の実施例に従ったガラス組成物を有するガラス物品の透過スペクトル
【図３】１ｍｍの内厚における本発明の第二の実施例に従ったガラス組成物を有するガラス物品の透過スペクトル
【図４】３つの異なるガラス組成物を有するガラスから成る外部バルブを使用した場合の、図１に描写した高圧放電ランプから放射される光の色位置を示す図
【図５】本発明により形成されたランプバルブを有するハロゲン白熱ランプの側面を概略的に示す図
【００１７】
該図面において概略的かつ部分的に切り取って示した本発明によるランプの実施例は、高圧放電ランプ、殊にハロゲン−金属蒸気−高圧放電ランプであり、該ランプは、好ましくは自動車ヘッドライトにおける光源として使用され、かつ定格３５Ｗの電力消費量を有する。
【００１８】
このランプは、気密封止された内部空間若しくは放電空間１０３、ソケットに近い１０１ピンチシール部及びソケットから離れた１０２ピンチシール部を備えた石英ガラス製の管形放電容器１００を有する。放電空間１０３内には、二本の電極１０４、１０５が突き出ており、該電極はそれぞれ、ピンチシール部１０１若しくは１０２においてガス漏れのないよう圧潰されたモリブデン箔１０６、１０７を介してピンチシール部１０１、１０２から導出された給電線(Stromzufuehrung)１０８、１０９と導電的に接続されている。該ランプソケットは、プラスチック射出成形部材から成るソケットスリーブ１１０を有し、該スリーブ内には放電容器１００及び該容器と溶融し合った外部バルブ１１６が固定されている。放電容器１００を背にしたソケットスリーブ１１０の末端は、２つの電気コンタクト部１１２、１１３を備えたプラグとして形成されている。中央コンタクト部１１２は、ソケットに近いピンチシール部１０１から導出された給電線１０８と導電的に接続されている一方で、他方のリング状の電気コンタクト部１１３は、セラミック管１１４により被覆されたアウターリード線１１５(Rueckfuehrung)を介してソケットから離れたピンチシール部１０２から突き出ている給電線１０９と導電的に接続されている。放電容器１００は、円筒状の、放電容器１００に対してほぼ同軸に配置された外部バルブ１１６で取り囲まれており、該バルブは、ソケットから離れたピンチシール部１０２及びソケットスリーブ１１０内で延在する、放電容器１００の管状の延長部１１７と溶融し合っている。外部バルブ１１６は放電容器１００の周りを覆うことから、放電空間１０３の領域は完全に該外部バルブ１１６の内部に配置されている。円筒状のソケットスリーブ１１０に両方のランプ容器１００及び１１６を固定するために、クランプ座で外部バルブ１１６をつかむ管状の金属製の支持部材１１８及びジョイント部で曲げられた４本の金属ストリップ１１９（その第一の末端はそれぞれ支持部材１１８で溶接されており、かつ、その第二の末端はそれぞれソケットスリーブ１１０のプラスチック材料中に固定されている）が用いられる。
【００１９】
放電容器１００の放電空間１０３内に取り込まれた封入物は、水銀不含で形成されており、かつキセノン並びに金属のナトリウム、スカンジウム、インジウム及び亜鉛のヨウ化物を含有する。放電容器１００には、その外側表面で、ＥＰ１６３２９８５Ａ１に開示されているように、点弧補助コーティング（非図示）が備わっていてもよい。
【００２０】
本発明の第一の実施例によれば、外部バルブ１１６は、ガラス組成物が主成分として二酸化ケイ素（ＳｉＯ2）を９６．６質量％の質量割合で含有し、かつドープ剤のネオジム、アルミニウム、セリウム、バリウム及びホウ素を酸化物の形で計３．４質量％の割合で含有するガラスから成り、その際、ネオジム、アルミニウム、セリウム、バリウム及びホウ素は、該ガラス組成物中で以下の値を有する：
ネオジム      １．０５３質量％
アルミニウム  ０．３２２質量％
セリウム      ０．６５１質量％
バリウム      ０．４９３質量％
ホウ素        ０．０７７６質量％
【００２１】
既に上で説明した理由から、ドープ剤のネオジム、アルミニウム、セリウム、バリウム及びホウ素のガラス組成物中での割合に関する前述の値において、酸化物の形の酸素割合は考慮されていない。それゆえ、前出の表における質量％の合計は３．４質量％より小さい。
【００２２】
本発明の第一の実施例に従った外部バルブ１１６は、石英砂（ＳｉＯ2）から製造され、それにはガラス溶融物の製造のために１．６質量％のアルミン酸ネオジム（ＮｄＡｌＯ3）、１．０質量％のアルミン酸セリウム（ＣｅＡｌＯ3）及び０．８質量％のメタホウ酸バリウム（ＢａＢ2Ｏ4）を添加していた。２００ｎｍ〜２８０ｎｍの紫外スペクトル領域内での透過率を減少させるために、外部バルブ１１６のガラスを酸素雰囲気中でアニーリングした（例えば１０００℃の温度で５時間）。
【００２３】
本発明の第一の実施例に従った外部バルブ１１６のガラス組成物の透過率は、１ｍｍの肉厚において図２に示している。該透過率は、縦軸上で、打ち当たる電磁放射線の波長に依存した、ガラス上に打ち当たる電磁放射線量を％記載で示している。該波長は、横軸上にナノメートル単位でプロットしている。可視光のスペクトル領域内では、該ガラスは、ほぼ９０％の高い透過率を、約５２４ｎｍ付近の緑色光、約５８２ｎｍ付近の黄色光、及び約７４４ｎｍ付近の赤色光のスペクトル領域内での例外とともに有する。それによって、高圧放電ランプから放射される白色光の色温度は、非ドープの石英ガラスから成る外部バルブと比べて約２１０ケルビン分だけ高められて約４２８０ケルビンとなる。図４には、高圧放電ランプから放射される白色光の色位置を、ＣＩＥ  １９３１及びＤＩＮ  ５０３３に則った標準色度図に応じた色座標ｘ、ｙを用いて△１で示している。図４における破線で記した台形は、ＥＣＥ規則に準拠して自動車ヘッドライト用の許容し得る白色光として認可されている色位置ｘ、ｙの領域を区切っている。該色位置は、ＥＣＥ規則に準拠して自動車ヘッドライト用に許容し得る白色光に相当するように台形内になければならない。○３は、外部バルブ１１６が非ドープの石英ガラスから製造されている場合、高圧放電ランプから放射された白色光の色位置を表示する。
【００２４】
本発明の第二の実施例によれば、外部バルブ１１６は、ガラス組成物が主成分として二酸化ケイ素（ＳｉＯ2）を９８．０質量％の質量割合で含有し、かつドープ剤のネオジム、アルミニウム、セリウム、バリウム、ホウ素、ユーロピウム及びチタンを酸化物の形で計２．０質量％の割合で含有するガラスから成り、その際、ネオジム、アルミニウム、セリウム、バリウム、ホウ素、ユーロピウム及びチタンは、該ガラス組成物中で以下の値を有する：
ネオジム      ０．３２９質量％
アルミニウム  ０．２４５質量％
セリウム      ０．３９１質量％
バリウム      ０．３７０質量％
ホウ素        ０．０５８２質量％
ユーロピウム  ０．０８６４質量％
チタン        ０．０３００質量％
【００２５】
既に上で説明した理由から、ドープ剤のネオジム、アルミニウム、セリウム、バリウムホウ素、ユーロピウム及びチタンのガラス組成物中での割合に関する前述の値において、酸化物の形の酸素割合は考慮されていない。それゆえ、前出の表における質量％値の合計は２．０質量％より小さい。
【００２６】
本発明の第二の実施例に従った外部バルブ１１６は、石英砂（ＳｉＯ2）から製造され、それにはガラス溶融物の製造のために０．５質量％のアルミン酸ネオジム（ＮｄＡｌＯ3）、０．１５質量％の酸化アルミニウム（Ａｌ2Ｏ3）、０．６質量％のアルミン酸セリウム（ＣｅＡｌＯ3）、０．６質量％のメタホウ酸バリウム（ＢａＢ2Ｏ4）、０．１質量％の酸化ユーロピウム（Ｅｕ2Ｏ3）及び０．０５質量％の二酸化チタン（ＴｉＯ2）を添加していた。アニーリング処理は、このガラス組成物の場合は必要ではなく、それというのも、２００ｎｍ〜２８０ｎｍの紫外スペクトル領域内でのガラスの透過率は、酸化物の形のユーロピウムの添加によって既に大いに減少していたからである。
【００２７】
本発明の第二の実施例に従った外部バルブ１１６のガラス組成物の透過率は、１ｍｍの肉厚において図３に示している。該透過率は、縦軸上で、打ち当たる電磁放射線の波長に依存した、ガラス上に打ち当たる電磁放射線量を％記載で示している。該波長は、横軸上にナノメートル単位でプロットしている。可視光のスペクトル領域内では、該ガラスは、ほぼ９０％の高い透過率を、約５８２ｎｍ付近の黄色光、及び７４４ｎｍ付近の赤色光のスペクトル領域内での例外とともに有する。それによって、本発明の第二の実施例に従った高圧放電ランプから放射される白色光の色温度は、非ドープの石英ガラスから成る外部バルブと比べて約１５０ケルビン分だけ高められて約４２２０ケルビンとなる。図４には、高圧放電ランプから放射される白色光の色位置を、ＣＩＥ  １９３１及びＤＩＮ  ５０３３に則った標準色度図に応じた色座標ｘ、ｙを用いて◇２で示している。図４のグラフ内でほぼ鉛直方向に延びる線は、５００ケルビンの間隔で３５００ケルビン〜６０００ケルビンの範囲内の色温度値の一定の色温度を有する色位置を示す。付加的に、図４には、いわゆる黒色（プランク）放射源の色度を、"プランク"と呼ばれる曲線によって示している。非ドープの石英ガラス製の外部バルブを有する高圧放電ランプは、○３によって示される測定点に応じて、約４０７０ケルビンの色温度を有する白色光を放射する。本発明の第一の実施例に従ったガラス組成物を有するガラス製の外部バルブ１１６を備えた高圧放電ランプは、△１によって示される測定点に応じて、約４２８０ケルビンの色温度を有する白色光を放射する。本発明の第二の実施例に従ったガラス組成物を有するガラス製の外部バルブ１１６を有する高圧放電ランプは、◇２によって示される測定点に応じて、約４２２０ケルビンの色温度を有する白色光を放射する。
【００２８】
その非常に高い二酸化ケイ素（ＳｉＯ2）の割合に基づき、本発明によるガラス物品及び、殊に両方の実施例に従ったガラス組成物を有するガラスも、ドープされた石英ガラスとして表されることができ、とりわけ、石英砂又は水晶からの本発明によるガラス物品は、上述の酸化物の形のドープ剤の添加下で溶融される。
【００２９】
図５には、ランプバルブ１が同様に上記の第一若しくは第二の実施例に従ったガラス組成物を有するドープされた石英ガラスから成るハロゲン白熱ランプを概略的に示している。このハロゲン白熱ランプは、例えば、自動車のフロントヘッドライトにおける光源として用いられるＥＣＥ−カテゴリー  Ｈ１１のハロゲン白熱ランプである。
【００３０】
このハロゲン白熱ランプは、上記の第一若しくは第二の実施例に従ったガラス組成物を有するドープされた石英ガラスから成り、ランプソケット２の金属ソケット部２１内に固定されているランプ容器１を有する。該金属ソケット部２１に接続している該ランプソケット２のプラスチックソケット部２２には、ハロゲン白熱ランプのエネルギー供給のための電気コンタクト部（非図示）が備え付けられている。気密封止されたランプ容器１は、該金属ソケット部２１に固定されているシール末端１１、及び円筒形の真ん中のランプ容器部分１２並びにシール末端１１と向かい合い、かつ透光性コーティング１３を備えているランプ容器先端を有する。該ランプ容器１の内部空間には、ハロゲン及びクリプトンを包含する封入ガス混合物が存在している。該ランプ容器１の内部では、円筒形のランプ容器部分１２の領域にタングステンコイルとして形成されたフィラメント３が配置されている。該コイル３の巻軸は、円筒形ランプ容器部分１２のシリンダー軸と平行に配向されている。フィラメント３の両末端３１、３２は、それぞれ溶接補助に用いられるモリブデン管により囲われており、かつ給電線４、５は、ランプ容器１のシール末端１１１から導出されており、かつハロゲン白熱ランプの電気コンタクト部と接続されている。
【００３１】
ハロゲン白熱ランプのランプバルブ１を製造するために第一若しくは第二の実施例に従ったガラス組成物を有するガラス物品を使用することによって、非ドープの石英ガラス製のランプバルブと比べて、ハロゲン白熱ランプより放射される白色光の色温度が同様に明らかに高められる。
【符号の説明】
【００３２】
１００  管形放電容器、  １０１  ピンチシール部、  １０２  ピンチシール部、  １０３  放電空間、  １０４  電極、  １０５  電極、  １０６  モリブデン箔、  １０７  モリブデン箔、  １０８  給電線、  １０９  給電線、  １１０  ソケットスリーブ、  １１２  電気コンタクト部、  １１３  電気コンタクト部、  １１４  セラミック管、  １１５  アウターリード線、  １１６  外部バルブ、  １１７  管状の延長部、  １１８  支持部材、  １１９  金属ストリップ、  １  ランプ容器、  ２  ランプソケット、  ３  フィラメント、  ４  給電線、  ５  給電線、  １１  シール末端、  １２  円筒形ランプ容器部分、  １３  透光性コーティング、  ２１  金属ソケット部、  ２２  プラスチックソケット部
【図１】
2013545707.tif 000003
【図２】
2013545707.tif 000004
【図３】
2013545707.tif 000005
【図４】
2013545707.tif 000006
【図５】
2013545707.tif 000007
【国際調査報告】
2013545707.tif 000008
2013545707.tif 000009
2013545707.tif 000010
2013545707.tif 000011